(57)【要約】【課題】カバーが閉じられる度に、ユーザーがロール紙の余分な先端部分を手動で切断する必要がなく、紙ジャムが発生しにくいプリンターを提供する。【解決手段】ロール紙１１に印刷をした後にオートカッター駆動手段５０でオートカットして排出するプリンター１００であって、ロール紙１１が収納されるロール紙ホルダー３１を開閉するカバー２１が、開状態から閉状態になったことを検出するカバー開閉検出器７０と、カバー開閉検出器７０の出力を受けて、オートカッター駆動手段５０の可動刃４３を動作させるカッター制御部９５と、を有する。【選択図】図５
2011046128.tif 000002
【特許請求の範囲】
【請求項１】
ロール紙を切断するオートカット部を備えるプリンターであって、
前記ロール紙を収納するロール紙収納部と、
前記ロール紙収納部を開閉するカバーと、
前記カバーの開状態と閉状態を検出するカバー検出部と、
前記カバー検出部の出力に基づき、前記オートカット部を動作させるカッター制御部と、を有することを特徴とするプリンター。
【請求項２】
前記ロール紙の残量を検出する残量検出部を更に備え、
前記カッター制御部は、前記残量検出部から前記ロール紙が所定の残量になったことを示す検出信号が出力されない場合に、前記カバー検出部の出力に基づき、前記オートカット部を動作させることを特徴とする請求項１に記載のプリンター。
【請求項３】
タイマーを備え、
前記カバー検出器の出力が変化した後、前記タイマーにより所定の時間をカウント後に、前記オートカット部を動作させることを特徴とする請求項１に記載のプリンター。
【請求項４】
前記ロール紙の残量を検出する残量検出部を更に備え、
前記カッター制御部は、前記カバー検出部の出力が変化しても、前記残量検出部から前記ロール紙が所定の残量になったことを示す検出信号が継続して出力されている場合は、前記オートカット部を動作させないことを特徴とする請求項１に記載のプリンター。
【請求項５】
ロール紙を切断するオートカット部を備えるプリンターであって、
前記ロール紙を収納するロール紙収納部と、
前記ロール紙収納部に収納された前記ロール紙の残量を検出する残量検出部と、
前記残量検出部の出力に基づき、前記オートカット部を動作させるカッター制御部と、を有することを特徴とするプリンター。
【請求項６】
前記カッター制御部は、前記残量検出部から前記ロール紙が所定の残量になったことを示す検出信号が出力された後、前記検出信号が出力されない状態になった場合に、前記オートカット部を動作させることを特徴とする請求項５に記載のプリンター。
【請求項７】
タイマーを備え、
前記残量検出部の検出信号が変化した後、前記タイマーにより所定の時間をカウント後に、前記オートカット部を動作させる特徴とする請求項５に記載のプリンター。
【発明の詳細な説明】
【技術分野】
【０００１】
本発明は、ロール紙を切断するプリンターに関する。
【背景技術】
【０００２】
従来、ロール紙に対して印刷を行うプリンターが提案されている。このようなプリンターには、ロール紙をセットした後に、ロール紙排出口から出ている余分なロール紙を手動で切断するためのマニュアルカッターが設置されている（特許文献１参照）。
【０００３】
上記構成のものにおいては、印刷機器から送り出されたロール紙は、ロール紙排出口から印刷装置の外部へ搬送され、カット時にオペレーターにより引っ張られてマニュアルカッターの先端部に当接され切断される。
【先行技術文献】
【特許文献】
【０００４】
【特許文献１】特開平１０−２７７９８８号公報
【発明の概要】
【発明が解決しようとする課題】
【０００５】
ところで、上述のようなプリンターにロール紙をセットする際、ユーザーはプリンターカバーを開いてロール紙収納部を開口し、開口されたロール紙収納部にロール紙を収納する。そして、収納されたロール紙の先端部をロール紙排出口から引き出した状態でカバーを閉じる。すなわち、カバーを閉じると、ロール紙排出口からロール紙の先端の余分な部分が露出した状態となる。そして、余分な部分を切断して先端部分の長さを揃えるために、ユーザーは露出した先端部分を摘んで、マニュアルカッターに当接させ手動で切断することで、ロール紙のセットが完了する。オートカッターを備えたプリンターでも、この作業を必要としていた。
【０００６】
しかしながら、手動でロール紙を切断する場合、力の入れ具合やロール紙を引っ張る向きによってうまく切断できない場合も多い。これらのバランスが悪いと、紙ジャムを発生する要因となる。
【０００７】
更に、プリンターカバーを開ける動作は、新しいロール紙をセットする場合以外にも、紙ジャムが発生したり、何らかのエラーが発生したときなど、プリンター内部のエラー要因を解除する際にも行なわれる。このようにカバーを開ける度に、ユーザーはロール紙の先端部をロール紙排出口に引き出し、カバーを閉じて、露出した先端部分を手動で切断する。
【０００８】
本発明は、上記課題を解決するためになされたものであって、カバーが閉じられる度に、ユーザーがロール紙の先端部分を手動で切断する必要がなく、紙ジャムが発生しにくいプリンターを提供することを目的とする。
【課題を解決するための手段】
【０００９】
上記課題を解決することのできる本発明は、ロール紙を切断するオートカット部を備えるプリンターであって、前記ロール紙を収納するロール紙収納部と、前記ロール紙収納部を開閉するカバーと、前記カバーの開状態と閉状態を検出するカバー検出部と、前記カバー検出部の出力に基づき、前記オートカット部を動作させるカッター制御部と、を有することを特徴とする。
上記構成によれば、カバーが開状態から閉状態に変化すると、オートカット部を動作させることができる。このため、ユーザーがロール紙の先端部を排出口に引き出しておいた状態でカバーを閉じても、その引き出された余分の先端部はオートカット部によって自動的に切断される。したがって、カバーが閉じられる度に、ユーザーがロール紙の先端部分を手動で切断する必要がなく、紙ジャムが発生しにくいプリンターを提供することができる。また、従来のようにユーザーが手動でロール紙を切断する必要がないため、必ずしもマニュアルカッターを備える必要がない。
【００１０】
また、本発明のプリンターは、前記ロール紙の残量を検出する残量検出部（ニアエンド検出部）を更に備え、前記カッター制御部は、前記残量検出部から前記ロール紙が所定の残量（ニアエンド）になったことを示す検出信号が出力されない場合に、前記カバー検出部の出力に基づき、前記オートカット部を動作させることを特徴とする。
上記構成によれば、カバーを閉じたとき、残量検出部から検出信号が検出されない場合に、オートカット部が動作される。したがって、オートカット動作が実行される場合を、ロール紙の残量が僅かになる前の段階、すなわちロール紙の残量が比較的豊富に存在する場合に限定することができる。このため、オートカット動作によるロール紙の消費を抑えることができる。
【００１１】
また、本発明のプリンターは、タイマーを備え、前記カバー検出器の出力が変化した後、前記タイマーにより所定の時間をカウント後に、オートカット部を動作させることが好ましい。ユーザーがカバーを操作していた手を離した後で、カットするので操作の邪魔にならない。また、ユーザーの手が排出口を塞いでいて紙ジャムになることを防止できる。
【００１２】
また、本発明のプリンターは、前記ロール紙の残量を検出する残量検出部を更に備え、前記カッター制御部は、前記カバー検出部の出力が変化しても、前記残量検出部から前記ロール紙が所定の残量になったことを示す検出信号が継続して出力されている場合は、前記オートカット部を動作させないことを特徴とする。
残量検出信号が継続して出力されている場合は、残り僅かとなったロール紙がセットされている、所謂ニアエンド状態であり、できるだけロール紙の消費させたくない場合である。上記構成によれば、このような場合はオートカット動作を実行しないので、ロール紙の残量に応じてロール紙の消費を抑えることができる。
【００１３】
また、上記課題を解決することのできる本発明は、ロール紙を切断するオートカット部を備えるプリンターであって、前記ロール紙を収納するロール紙収納部と、前記ロール紙収納部に収納された前記ロール紙の残量を検出する残量検出部と、前記残量検出部の出力に基づき、前記オートカット部を動作させるカッター制御部と、を有することを特徴とする。
上記構成によれば、残量検出部から検出信号が検出されない場合に、オートカット部が動作される。したがって、オートカット動作が実行される場合を、ロール紙の残量が僅かになる前の段階、すなわちロール紙の残量が比較的豊富に存在する場合に限定することができる。このため、オートカット動作によるロール紙の消費を抑えることができる。
【００１４】
また、本発明において、前記カッター制御部は、前記残量検出部から前記ロール紙が所定の残量になったことを示す検出信号が出力された後、前記検出信号が出力されない状態になった場合に、前記オートカット部を動作させることを特徴とする。
上記構成によれば、残量検出部の検出信号が出力された後、検出信号が出力されない状態になった場合、すなわち、残り僅かとなったロール紙から残量が豊富にある新しいロール紙に交換された場合に、オートカット部が動作される。したがって、オートカット動作が実行される場合を、新しいロール紙に交換された直後に限定することができる。このため、オートカット動作によるロール紙の消費を極力抑えることができる。
【００１５】
また、本発明のプリンターは、タイマーを備え、残量検出部の検出信号が変化した後、前記タイマーにより所定の時間をカウント後に、オートカット部を動作させることが好ましい。ユーザーが、ロール紙をセットするため、カバーを操作していた手を離した後で、カットするので操作の邪魔にならない。
【図面の簡単な説明】
【００１６】
【図１】本実施形態のプリンターのカバーフレームを閉じた状態を示す要部側面図である。
【図２】本実施形態のプリンターのカバーフレームを開けた状態を示す要部側面図である。
【図３】本実施形態のプリンター内部の機械構成を示す斜視図であり、カッターユニットフレームのカバーを開けた状態を示す図である。
【図４】（ａ）はニアエンド検出器の構成を示す斜視図であり、（ｂ）はニアエンド検出器がロール紙のニアエンドを検出した状態を示す斜視図である。
【図５】本実施形態の内部構成を示すブロック図である。
【図６】印刷ヘッドとカット位置との関係を示す模式図である。
【図７】本実施形態のプリンターのカバーが閉状態となったときのオートカット動作を説明するためのフローチャートである。
【発明を実施するための形態】
【００１７】
以下、本発明のプリンターの実施形態を図面を参照して説明する。
本実施形態のプリンター１００は、印刷媒体であるロール紙１１に対して印刷を行う。プリンター１００は、プリンター本体１３を備える。プリンター本体１３は、金属製の本体部である本体フレーム１５が外装としての本体ケース１７によって覆われる。
【００１８】
プリンター本体１３にはロール紙１１を収納する開口部２０が設けられる。プリンター１００は、この開口部２０を開閉するカバー２１を有する。カバー２１は、ロール紙１１を搬送するための回転部材であるプラテンローラー１９を備える。カバー２１には、カバーフレーム２３が設けられている。本体ケース１７と、カバー２１は、それぞれ樹脂を用いて略箱状となるように形成される。プリンター１００の上面には紙排出口２５が設けられ、印刷されたロール紙１１の端部がこの紙排出口２５から排出される。
【００１９】
カバーフレーム２３の後部両端部分にはそれぞれ軸受部２７が形成され、軸受部２７は支軸２９を介して本体フレーム１５に開閉自在に支持される。プリンター本体１３の内部には、ロール紙１１を収容可能なロール紙ホルダー３１（ロール紙収納部）が設けられている。ロール紙ホルダー３１の前方には、印刷ヘッド３３が設けられている。印刷ヘッド３３は、ロール紙ホルダー３１と、プリンター本体１３のフロント部３５との間の部位に配設されている。プラテンローラー１９は、カバー２１が閉じた状態において、印刷ヘッド３３に対向配置され、送出ロール紙片を挟んだ状態とする。この状態で印刷ヘッド３３を駆動することにより、プリンター１００はロール紙１１に対して印刷を行う。
【００２０】
図２に示すように、プラテンローラー１９は、プラテンユニット３７のプラテンホルダー３９に設けられている。プラテンホルダー３９は、金属材料よりなる。プラテンホルダー３９は、解除レバー機構を有している。解除レバー機構は、係合爪と、これと連動可能な解除レバーとからなり、ロック機構を構成する。解除レバー機構は、カバー２１を本体ケース１７に対して閉止状態に係合又は係合解除する。
【００２１】
カバー２１は、紙排出口２５の近傍に、ロール紙１１を切断するためのカッターである固定刃４１を備える。一方、プリンター本体１３のフロント部３５側には図３に示す可動刃４３を内蔵したカッターユニット４５が設けられている。固定刃４１と可動刃４３は、ハサミ方式によりロール紙１１を切断するための切断機構を構成する。
【００２２】
図３に示すようにカッターユニット４５の本体４５ｂの底部４２には、固定刃４１とあいまってロール紙１１を切断するための可動刃４３が設けられている。可動刃４３は、カッターユニット４５の一方の端部に設けた例えば支軸４４を中心として、図３の矢印Ａ方向又はその反対方向へ回動自在に取り付けられる。また、可動刃４３は、この支軸４４の周囲に設けられ、上端を支軸４４に取り付けられたプッシュナットで係止されたコイルばね４６によって、カッターユニット４５の本体４５ｂの底部４２に押し付けられる。可動刃４３のほぼ中央部には、可動刃４３を駆動するための長孔４８が設けられる。
【００２３】
また、カッターユニット４５のカバー４５ａの裏面には、可動刃４３を駆動するための駆動手段５０が設けられる。すなわち、カバー４５ａの裏面に駆動モーター５２が取り付けられるとともに、駆動モーター５２の回転軸にウォーム歯車５１が取り付けられる。そして、このウォーム歯車５１と噛み合うようにウォームホイール５３が配置され、このウォームホイール５３には可動刃４３の長孔４８と係合するクランクピン５５が設けられる。さらに、ウォームホイール５３とカバー４５ａとの間にはウォームホイール５３の回転角を検出するためのセンサー５７が設けられ、このセンサー５７は、リード線５９を介して回路基板６０に接続される。また、駆動モーター５２もリード線５４を介して回路基板６０に接続される。これにより、センサー５７にて検出されたウォームホイール５３の回転角に基づいて駆動モーター５２を回転させるように構成される。
【００２４】
さらに、図１及び図２に示すようにプリンター１００はカバー２１の開閉を検出するカバー開閉検出器（カバー検出部）７０と、ロール紙ホルダー３１内の側壁に設けられたニアエンド検出器６０を有している。
【００２５】
カバー開閉検出部７０には、カバー２１の開閉を電気的に検出するメカスイッチ７２と、カバー２１側に設けられた検出板２２に押されてメカスイッチ７２方向へ移動可能な検出バー７４と、検出バー７４に検出板２２方向への押圧を付与するばね７５と、検出バー７４の移動をメカスイッチ７２へ伝達してメカスイッチ７２を作動させるスイッチレバー７３とを有する。
【００２６】
カバー２１が閉じられ検出板２２が検出バー７４に当接すると、検出バー７４は、ばね７５の押圧に抗してメカスイッチ７２の方向へ押される。検出バー７４は、スイッチレバー７３を介してメカスイッチ７２を作動させ、メカスイッチ７２は、電気的信号がＯＮとなりカバー２１が閉じられたことが検出可能である。カバー２１が開けられると、検出板２２が検出バー７４から離れ、検出バー７４は、ばね７５によりメカスイッチ７２から離れる方向へ移動する。検出バー７４の移動によりメカスイッチ７２を作動させていたスイッチレバー７３が戻り、メカスイッチ７２は、電気的にＯＦＦとなる。これによりカバー２１が開けられたことが検出可能である。
【００２７】
ニアエンド検出器６０は、ロール紙１１の残量が少なくなった状態であるニアエンド状態を検出する。ニアエンド検出部６０は、図４に示すように、ロール部１２のロール状をなす側面側にニアエンドレバー６１を有する。ニアエンドレバー６１は、ニアエンドレバー回転中心６２を中心にして回転自在であり、ニアエンドレバー回転中心６２から下部外装２方向へ延在し、延在した他端に検出突起６４を有する。そして、ニアエンド検出部６０は、検出突起６４をロール部６へ押圧状態にするばね６５と、ニアエンドレバー６１の回動に連動して電気的にＯＮ、ＯＦＦとなるメカスイッチ６６とを有する。
【００２８】
このような構成のニアエンド検出部６０において、使用前のロール部１２が投げ込み方式により装着されると、図４（ａ）に示すように、検出突起６４がロール部１２側面に押されて回動し、メカスイッチ６６を電気的ＯＮ状態に作動させる。メカスイッチ６６の作動により、ロール部１２が装着され、ロール紙１１を供給可能であることが検出される。印刷が行われロール紙１１が消費されロール径が小さくなると、図４（ｂ）に示すように、ロール部芯６３が次第に下方に下がり、検出突起６４の位置へ移動して来る。ロール部芯６３に巻かれているロール紙１１が規定量以下になると、ばね６５の押圧によりロール部芯６３の中空部分へ検出突起６４が入り込む。検出突起６４が中空部分へ入り込むと、ニアエンドレバー６１は、回動しメカスイッチ６６から離れる。そのため、メカスイッチ６６は、電気的にＯＦＦとなりロール紙１１が残り少ないニアエンドであることが検出可能である。
【００２９】
次に、図５を参照してプリンター１の内部制御について説明する。
プリンター１００は、ホストコンピューター２００と接続されている。プリンター１００は、ホストコンピューター２００と接続するための入出力インタフェース８１と、プリンター１００を制御するプログラム等が記憶されているフラッシュＲＯＭ８３（ＲＯＭでもよい）と、ホストコンピューター２００から送られて来る印刷データなどを一時的に記憶しておくＲＡＭ８５と、フラッシュＲＯＭ８３に記憶されているプログラムに基づき制御を実行するＣＰＵ８７とを有する。
【００３０】
そして、カバー開閉検出器７０およびニアエンド検出器６０を制御する検出制御部９１と、印刷ヘッド３３およびプラテンローラー１９を制御する印刷制御部９３と、カッターユニット４５の可動刃４３に動力を与える駆動モーター４７を制御するカッター制御部９５を有する。
【００３１】
入出力インタフェース８１、フラッシュＲＯＭ８３、ＲＡＭ８５、ＣＰＵ８７、検出制御部９１、印刷制御部９３はバス９７を介して相互に接続されている。
【００３２】
カッター制御部９５はＣＰＵ８７から送られた指示に応じてオートカッター駆動手段５０を動作制御し、検出制御部９１はＣＰＵ８７から送られた指示に応じてニアエンド検出器６０及びカバー開閉検出器７０を制御し、印刷制御部９３はＣＰＵ８７から送られた指示に応じてプラテンローラー１９及び印刷ヘッド３３の動作を制御する。
例えば、印刷制御部９３はＣＰＵ８７から印刷指示を受けると、プラテンローラー１９を回転駆動させてロール紙１１を搬送するとともに、印刷ヘッド３３の複数の発熱素子に選択的にエネルギーを印加させて、ロール紙１１に対する印刷を行う。
【００３３】
また、カッターユニット４５によってロール紙１１を自動的に切断するオートカット動作を実行する際に、印刷制御部９３はカッターユニット４５からロール紙搬送指示を受けると、プラテンローラー１９を所定量だけ回転駆動させて、ロール紙１１をカット位置まで搬送させる。
【００３４】
ここで、カット位置について図６を参照して説明する。
図６に示すように、カッターユニット４５を構成する固定刃４１と可動刃４３は、印刷ヘッド３３よりもロール紙搬送方向の下流側に位置する。このため、印刷された部分のロール紙を切断するためには、印刷ヘッド３３部分に位置しているロール紙１１を少なくとも固定刃４１と可動刃４３が位置する場所まで搬送してから切断する必要がある。実際には、印刷が終了すると図６に示すように長さｌより多めに搬送して切断するよう設定されている。この固定刃４１と可動刃４３が位置する場所がカット位置３００である。
【００３５】
なお本実施形態では、ロール紙１１を所定量（ｌより大きい量）だけ搬送させ、その後駆動モーター４７を駆動させてカット位置３００においてロール紙１１をカットする一連の動作をオートカット動作という。
【００３６】
オートカット動作を実行する際に、カッター制御部９５はＣＰＵ８７からカッター駆動指示を受けると、駆動モーター４７を回転駆動させる。すると可動刃４３が回動されて固定刃４３とハサミ方式によってロール紙１１がカットされる。
ニアエンド検出器６０が、ロール紙１１の残量が少なくなった状態であるニアエンド状態を検出すると、不図示のランプやブザーで警告したり、ホストコンピューター２００に知らせたりする。ユーザーは、ロール紙を交換するため、カバー２１を開いて残量の少ないロール紙１１を取り出し、新しいロール紙１１をロール紙ホルダー３１に装填し、カバー２１を閉める。この際、カバー開閉検出器７０およびニアエンド検出器６０がそれぞれ出力変化する。紙排出口２５には、ロール紙１１をロール紙ホルダー３１に装填する際、引き出された余分なロール紙１１があるため、これらの出力変化に基づき、カッター制御部９５がカッターユニット４５を動作させて、カットする。また、ＣＰＵ８７には不図示のタイマーが内蔵されており、これらの出力変化から、所定の時間が経過するまで計測し、その後、カッターユニット４５を動作させて、カットする。ユーザーがカバー２１を閉める操作をして、紙排出口２５にまだ手が残っている場合、紙ジャムになるおそれがある。所定の時間が経過すれば、その間にユーザーは操作していた手をカバー２１から離すことができるので、紙ジャムの発生を防止することができる。
【００３７】
また本実施形態では、ＣＰＵ８７は検出制御部９１がニアエンド検出器６０及びカバー開閉検出器７０からの信号を検出すると、これに応じて印刷制御部９３及びカッター制御部９５に対して、ロール紙搬送指示及びカッター駆動指示を送信する。
【００３８】
以下では、ニアエンド検出器６０及びカバー開閉検出器７０からの信号に応じて実行されるオートカット動作について図７を参照して説明する。
【００３９】
まず、ＣＰＵ８７は、検出制御部９１からカバー開閉検出器７０の出力がＯＦＦからＯＮになったことを受信すると（ステップＳ１１：Ｙｅｓ）、ニアエンド検出器６０の出力を確認する。そしてＣＰＵ８７は、ニアエンド検出器６０の出力がＯＮ、すなわちロール紙１１の残量が十分あると判定した場合は（ステップＳ１３：Ｙｅｓ）、オートカット動作を実行するため、印刷制御部９３に所定量のロール紙搬送指示を送信するとともに、カッター制御部９５にカッター駆動指示を送信する。カバー開閉検出器７０がない場合でも、ニアエンド検出器６０で判定することもできる。この場合、（ステップＳ１１）の判定を行わない。
【００４０】
なお、ステップＳ１１において、ＣＰＵ８７は、検出制御部９１からカバー開閉検出器７０の出力がＯＦＦであることを受信した場合は（ステップＳ１１：Ｎｏ）、その他の指示に応じた処理が実行される。
【００４１】
ＣＰＵ８７の不図示のタイマーにより所定時間経過したかをカウントし、所定時間経過後（ステップＳ１４：Ｙｅｓ）、印刷制御部９３は、ロール紙搬送指示に応じて、プラテンローラー１９を回転させて所定量のロール紙１１を搬送する（ステップＳ１５）。カッター制御部９５は、駆動モーター４７を駆動して可動刃４３を動作させ、ロール紙１１をカット位置３００でカットする（ステップＳ１７）。
【００４２】
一方、ステップＳ１３において、ＣＰＵ８７は、ニアエンド検出器６０の出力がＯＦＦ、すなわちロール紙１１がニアエンド状態にあると判定した場合は（ステップＳ１３：Ｎｏ）、ロール紙１１のニアエンド状態をユーザーに通知し、ロール紙の交換を促す（ステップＳ１９）。例えば、ＬＥＤを点灯させたり、ブザーを鳴らしてもよい。その後、ユーザーはニアエンドとなったロール紙１１を使いきり、新しいロール紙１１をロール紙ホルダー３１にセットする（ステップＳ２１）。
【００４３】
ユーザーが、新しいロール紙１１をロール紙ホルダー３１にセットしカバー２１を閉じると、ＣＰＵ８７は、検出制御部９１からカバー開閉検出器７０の出力がＯＦＦからＯＮになったことを受信する（ステップＳ１１：Ｙｅｓ）。以降、カバー２１の開閉が行なわれる度に、ステップＳ１１〜ステップＳ２１の処理が実行される。
【００４４】
なお、上記実施形態では、カバー２１が閉状態でロール紙１１がニアエンド状態ではない場合、及び新しいロール紙１１へ交換したためニアエンド状態が解除された場合にオートカット動作を実行している。しかしながら、新しいロール紙１１へ交換したためにニアエンド状態が解除された場合のみ、オートカット動作を行なうよう構成することもできる。具体的には、ニアエンド検出器６０の直前の検出結果を記憶しておき、次にニアエンド検出器６０が出力した検出結果と、直前の検出結果と、に基づいてオートカット動作を実行するか否かを決定すればよい。
【００４５】
すなわち、直前の検出結果がＮｏ（ニアエンド状態）であり、次の検出結果がＹｅｓ（ニアエンド状態解除）であった場合にのみ、オートカット動作を実行する。このような構成によれば、ロール紙１１の交換を目的としないもので、ユーザーがロール紙１１の残量を目視するため、単にカバー開閉動作のみが実行されたと考えられる場合のオートカット動作を排除することができる。つまり、直前の検出結果がＹｅｓ（ニアエンド状態解除）であり、次の検出結果もＹｅｓ（ニアエンド状態解除）であった場合には、オートカット動作を実行しないよう構成することができる。
【００４６】
これにより、ロール紙１１の搬送動作を伴うオートカット動作が実行される場合を、新しいロール紙１１に交換された直後のみに限定することができる。このため、オートカット動作によるロール紙１１の消費をさらに抑えることができる。
【００４７】
このように、本実施形態のプリンター１００は、カバー２１が開状態から閉状態に変化し、ニアエンド検出器６０の出力がＯＮの場合に、オートカット動作を実行する。このため、ユーザーがロール紙１１の先端部を紙排出口２５に引き出しておいた状態でカバー２１を閉じても、その引き出された先端部は可動刃４３と固定刃４１によって自動的に切断される。したがって、カバー２１が閉じられる度に、ユーザーがロール紙１１の先端部分を手動で切断する必要がなく、紙ジャムが発生しにくいプリンターを提供することができる。
【００４８】
また、オートカット動作が実行される場合を、ロール紙１１の残量が僅かになる前の段階、すなわちロール紙１１の残量が比較的豊富にある場合に限定することができる。このため、ロール紙１１の搬送動作を伴うオートカット動作によるロール紙１１の消費を抑えることができる。
【００４９】
また、本実施形態では、一度ニアエンド状態になるとロール紙１１の交換を促し、ロール紙１１のニアエンド状態が継続している状態ではオートカット動作を実行しない。すなわち新しいロール紙１１がセットされるまでオートカット動作を実行することがないので、ロール紙１１の消費を極力抑えることができる。
【符号の説明】
【００５０】
１１：ロール紙、２１：カバー、３１：ロール紙ホルダー（ロール紙収納部）、４５：カッターユニット（オートカット部）、５０：オートカッター駆動手段、６０：ニアエンド検出器（残量検出部）、７０：カバー開閉検出器（カバー検出部）、９５：カッター制御部、１００：プリンター。
【図１】
2011046128.tif 000003
【図２】
2011046128.tif 000004
【図３】
2011046128.tif 000005
【図４】
2011046128.tif 000006
【図５】
2011046128.tif 000007
【図６】
2011046128.tif 000008
【図７】
2011046128.tif 000009